(57)【特許請求の範囲】
【請求項１】
記憶媒体を外部機器と共有して使用可能なデジタルスチルカメラにおいて、
被写体を撮像して画像データを得る撮像手段と、
前記画像データを所定形態で画像データファイルとして前記記憶媒体に記録する記録制御手段と、
前記記憶媒体に記録されている画像データファイルの再生動作を制御する再生制御手段と、
前記記憶媒体に、前記外部機器で作成したディレクトリが存在するか否かを検索する検索手段と、を有し、
前記再生制御手段は、前記記憶媒体の自社機で作成したディレクトリ中の画像データファイルを再生する第１モードと、前記記憶媒体の前記自社機若しくは前記外部機器で作成されたディレクトリ中の画像データファイルを再生する第２モードとを備えたことを特徴とするデジタルスチルカメラ。
【請求項２】
記憶媒体を外部機器と共有して使用可能なデジタルスチルカメラにおいて、
被写体を撮像して画像データを得る撮像手段と、
前記画像データを所定形態で画像データファイルとして前記記憶媒体に記録する記録制御手段と、
前記記憶媒体に記録されている画像データファイルの再生動作を制御する再生制御手段と、
前記デジタルスチルカメラの電源投入時に、前記記憶媒体に、前記外部機器で作成したディレクトリが存在するか否かを検索する検索手段と、を有し、
前記再生制御手段は、前記記憶媒体の自社機で作成したディレクトリ中の画像データファイルを再生する第１モードと、前記記憶媒体の前記自社機若しくは前記外部機器で作成されたディレクトリ中の画像データファイルを再生する第２モードとを備えたことを特徴とするデジタルスチルカメラ。
【請求項３】
記憶媒体を外部機器と共有して使用可能なデジタルスチルカメラにおいて、
被写体を撮像して画像データを得る撮像手段と、
前記画像データを所定形態で画像データファイルとして前記記憶媒体に記録する記録制御手段と、
前記記憶媒体に記録されている画像データファイルの再生動作を制御する再生制御手段と、
前記記憶媒体に、前記外部機器で作成したディレクトリが存在するか否かを検索する検索手段と、
前記検索手段の検索結果を報知する報知手段と、を有し、
前記再生制御手段は、前記記憶媒体の自社機で作成したディレクトリ中の画像データファイルを再生する第１モードと、前記記憶媒体の前記自社機若しくは前記外部機器で作成されたディレクトリ中の画像データファイルを再生する第２モードとを備えたことを特徴とするデジタルスチルカメラ。
【請求項４】
記憶媒体を外部機器と共有して使用可能なデジタルスチルカメラにおいて、
被写体を撮像して画像データを得る撮像手段と、
音声を電気信号に変換して音声データを得る音声入力手段と、
前記画像データを所定形態で画像データファイルとして、前記音声データを所定形態で音声データファイルとして前記記憶媒体に記録する記録制御手段と、
前記記憶媒体に記録されている画像データファイル若しくは音声データファイルの再生動作を制御する再生制御手段と、
前記記憶媒体に、前記外部機器で作成したディレクトリが存在するか否かを検索する検索手段と、を有し、
前記再生制御手段は、前記記憶媒体の自社機で作成したディレクトリ中の画像データファイル若しくは音声データファイルを再生する第１モードと、前記記憶媒体の前記自社機若しくは前記外部機器で作成されたディレクトリ中の画像データファイル若しくは音声データファイルを再生する第２モードとを備えたことを特徴とするデジタルスチルカメラ。
【請求項５】
前記第１モードと前記第２モードとを切り換える切替手段を備えたことを特徴とする請求項１〜４のいずれか１つに記載のデジタルスチルカメラ。
【請求項６】
前記外部機器は、他社製のデジタルスチルカメラ若しくはパーソナルコンピュータであることを特徴とする請求項１〜５のいずれか１つに記載のデジタルスチルカメラ。
【請求項７】
前記記憶媒体は、ＤＯＳフォーマットがなされており、前記検索手段は、当該記憶媒体のＤＯＳ管理領域をチェックして、前記外部機器で作成されたディレクトリが存在するか否かを検索することを特徴とする請求項１〜７のいずれか１つに記載のデジタルスチルカメラ。
【請求項８】
前記報知手段は、前記検索手段の検索結果を表示部に表示することを特徴とする請求項１〜７のいずれか１つに記載のデジタルスチルカメラ。
【発明の詳細な説明】
【０００１】
【発明の属する技術分野】
この発明は、デジタルスチルカメラに関し、詳細には、記憶媒体を外部機器と共有して使用可能なデジタルスチルカメラに関する。
【０００２】
【従来の技術】
近時、メモリカードを用いるデジタルスチルカメラが普及している。かかるメモリカードは同一仕様のものが、各種のコンピュータ内蔵の機器、例えば、パーソナルコンピュータ（以下、「パソコン」と称する）等にも使用されており、メモリカードはデジタルスチルカメラとパソコンの双方で利用されている。
【０００３】
例えば、一枚のメモリカードをデジタルスチルカメラとパソコンとで共有して使用し、あるメモリカードを用いて、デジタルスチルカメラで画像記録を行い、そのメモリカードの画像情報をパソコン上で分類、整理、或いは、画像合成等の処理を行い、再度、デジタルスチルカメラで画像を再生するといった使用もなされている。
【０００４】
上述のように、メモリカードがデジタルスチルカメラとパソコン等の双方で利用される場合、メモリカードのフォーマットをパソコンのＤＯＳ（DISK  OPERATING  SYSTEM ）に合致させる必要がある。メモリカードの標準化規格としては、種々のものが提案されており、デジタルスチルカメラでもその標準化メモリカードが使用されている。
【０００５】
上述したデジタルスチルカメラでは、上記したメモリカードを使用する場合に、作成したファイルを効率良く管理するために種々の工夫がなされている。
【０００６】
例えば、特開平５−２３３７７１号公報で開示された画像情報再生装置では、記録媒体を画像情報再生装置以外の機器と共有可能な画像情報再生装置において、画像再生時に、操作スイッチにより指定したメモリカード上の対応するコマのデータタファイルの属性をチェックして、非画像データファイルと判断したとき、ＬＣＤ表示部に再生不能の表示を行い、再生不能の煩わしさを避けている。
【０００７】
【発明が解決しようとする課題】
しかしながら、上記公開公報で開示された画像情報再生装置では、チェック可能なディレクトリ以外のところにデータが記憶されているような場合には、属性情報のチェックができず、そのファイルが再生不能であるのか、また、消去しても良いファイルであるかどうかの判断できないという問題がある。
【０００８】
例えば、他社機（他社のデジタルスチルカメラ）でも使用できる記憶媒体（例えば、ＡＴＡカードなど）や、パソコン上で簡単にディレクトリの作成などができる記憶媒体を自社機に採用した場合に、自社機で作成したディレクトリ以外にも、他社機で作成されたディレクトリや、パソコン等で作成されたディレクトリが存在する場合がある。その場合、通常は、自社機で作成したディレクトリの中のファイルのみが再生可能となっていた。
【０００９】
すなわち、従来技術では、自社機で作成したディレクトリの中のファイルのみが再生可能であるので、その記憶媒体の中に他の如何なるファイルが記憶されているのかを判断することができず、記憶媒体をフォーマットする場合に、本当にフォーマットして良いのかどうかの判断ができないという問題がある。
【００１０】
本発明は、上記課題に鑑みてなされたものであり、他社機のデジタルスチルカメラやパソコン等で作成された記憶媒体のディレクトリ中のファイルの再生を行うモードを備えることにより、記憶媒体をフォーマットする際に、その判断を容易にしたデジタルスチルカメラを提供することを目的とする。
【００１１】
【課題を解決するための手段】
上述した課題を解決し、目的を達成するため、請求項１に係るデジタルスチルカメラは、記憶媒体を外部機器と共有して使用可能なデジタルスチルカメラにおいて、被写体を撮像して画像データを得る撮像手段と、前記画像データを所定形態で画像データファイルとして前記記憶媒体に記録する記録制御手段と、前記記憶媒体に記録されている画像データファイルの再生動作を制御する再生制御手段と、前記記憶媒体に、前記外部機器で作成したディレクトリが存在するか否かを検索する検索手段と、を有し、を有し、前記再生制御手段は、前記記憶媒体の自社機で作成したディレクトリ中の画像データファイルを再生する第１モードと、前記記憶媒体の前記自社機若しくは前記外部機器で作成されたディレクトリ中の画像データファイルを再生する第２モードとを備えた構成とした。
【００１２】
請求項１に係るデジタルスチルカメラによれば、再生制御手段は、記憶媒体の自社機若しくは外部機器で作成されたディレクトリ中の画像データファイルを再生するモードを備えているので、記憶媒体の外部機器で作成されたディレクトリ中の画像データファイルを再生することができ、操作者は、記憶媒体に如何なる画像データファイルが記録されているかを知ることができる。その結果、記憶媒体をフォーマットする場合に、本当にフォーマットして良いかを容易に判断することが可能となる。
【００１３】
また、請求項２に係るデジタルスチルカメラは、記憶媒体を外部機器と共有して使用可能なデジタルスチルカメラにおいて、被写体を撮像して画像データを得る撮像手段と、前記画像データを所定形態で画像データファイルとして前記記憶媒体に記録する記録制御手段と、前記記憶媒体に記録されている画像データファイルの再生動作を制御する再生制御手段と、前記デジタルスチルカメラの電源投入時に、前記記憶媒体に、前記外部機器で作成したディレクトリが存在するか否かを検索する検索手段と、を有し、前記再生制御手段は、前記記憶媒体の自社機で作成したディレクトリ中の画像データファイルを再生する第１モードと、前記記憶媒体の前記自社機若しくは前記外部機器で作成されたディレクトリ中の画像データファイルを再生する第２モードとを備えた構成とした。
【００１４】
請求項２に係るデジタルスチルカメラによれば、検索手段が、デジタルスチルカメラの電源投入時に、記憶媒体に、前記外部機器で作成したディレクトリが存在するか否かを検索し、再生制御手段は、記憶媒体の自社機若しくは外部機器で作成されたディレクトリ中の画像データファイルを再生するモードを備えているので、記憶媒体に外部機器で作成したディレクトリが存在するか否かを検索して、記憶媒体の外部機器で作成されたディレクトリ中の画像データファイルを再生することができ、操作者は、記憶媒体に如何なる画像データファイルが記録されているかを知ることができる。その結果、記憶媒体をフォーマットする場合に、本当にフォーマットして良いかを容易に判断することが可能となる。
【００１５】
請求項３に係るデジタルスチルカメラによれば、記憶媒体を外部機器と共有して使用可能なデジタルスチルカメラにおいて、被写体を撮像して画像データを得る撮像手段と、前記画像データを所定形態で画像データファイルとして前記記憶媒体に記録する記録制御手段と、前記記憶媒体に記録されている画像データファイルの再生動作を制御する再生制御手段と、前記記憶媒体に、前記外部機器で作成したディレクトリが存在するか否かを検索する検索手段と、前記検索手段の検索結果を報知する報知手段と、を有し、前記再生制御手段は、前記記憶媒体の自社機で作成したディレクトリ中の画像データファイルを再生する第１モードと、前記記憶媒体の前記自社機若しくは前記外部機器で作成されたディレクトリ中の画像データファイルを再生する第２モードとを備えた構成とした。
【００１６】
請求項３に係るデジタルスチルカメラによれば、検索手段が、デジタルスチルカメラの電源投入時に、記憶媒体に、前記外部機器で作成したディレクトリが存在するか否かを検索し、報知手段は、検索手段の検索結果を報知し、再生制御手段は、記憶媒体の自社機若しくは外部機器で作成されたディレクトリ中の画像データファイルを再生するモードを備えているので、記憶媒体に外部機器で作成したディレクトリが存在するか否かを検索して、その検索結果を操作者に報知することができると共に、記憶媒体の外部機器で作成されたディレクトリ中の画像データファイル若しくは音声データファイルを再生することができ、操作者は、外部装置で作成されたディレクトリの存在を知ることができると共に、記憶媒体に如何なるファイルが記録されているかを知ることができる。その結果、記憶媒体をフォーマットする場合に、本当にフォーマットして良いかを容易に判断することが可能となる。
【００１７】
また、請求項４に係るデジタルスチルカメラは、記憶媒体を外部機器と共有して使用可能なデジタルスチルカメラにおいて、被写体を撮像して画像データを得る撮像手段と、音声を電気信号に変換して音声データを得る音声入力手段と、前記画像データを所定形態で画像データファイルとして、前記音声データを所定形態で音声データファイルとして前記記憶媒体に記録する記録制御手段と、前記記憶媒体に記録されている画像データファイルの再生動作を制御する再生制御手段と、前記記憶媒体に、前記外部機器で作成したディレクトリが存在するか否かを検索する検索手段と、を有し、前記再生制御手段は、前記記憶媒体の自社機で作成したディレクトリ中の画像データファイル若しくは音声データファイルを再生する第１モードと、前記記憶媒体の前記自社機若しくは前記外部機器で作成されたディレクトリ中の画像データファイル若しくは音声データファイルを再生する第２モードとを備えた構成とした。
【００１８】
請求項４に係るデジタルスチルカメラによれば、再生制御手段は、記憶媒体の自社機若しくは外部機器で作成されたディレクトリ中の画像データファイル若しくは音声データファイルを再生するモードを備えているので、記憶媒体の外部機器で作成されたディレクトリ中の画像データファイル若しくは音声データファイルを再生することができ、操作者は、記憶媒体に如何なる画像データファイル若しくは音声データファイルが記録されているかを知ることができる。その結果、記憶媒体をフォーマットする場合に、本当にフォーマットして良いかを容易に判断することが可能となる。
【００１９】
また、請求項５に係るデジタルスチルカメラは、請求項１〜４のいずれか１つに係るデジタルスチルカメラにおいて、前記第１モードと前記第２モードとを切り換える切替手段を備えた構成とした。
【００２０】
請求項５に係るデジタルスチルカメラによれば、請求項１〜４のいずれか１つに係るデジタルスチルカメラにおいて、切替手段は、第１モードと２モードとを切り替えることとしたので、記憶媒体の自社機で作成したディレクトリ中のファイルを再生するモードと、記憶媒体の自社機若しくは外部機器で作成されたディレクトリ中のファイルを再生するモードとを操作者が容易に切り替えることが可能となるという効果を奏する。
【００２１】
また、請求項６に係るデジタルスチルカメラは、請求項１〜５のいずれか１つに係るデジタルスチルカメラにおいて、外部機器は、他社製のデジタルスチルカメラ若しくはパーソナルコンピュータであることとした。
【００２２】
請求項６に係るデジタルスチルカメラによれば、請求項１〜５のいずれか１つに係るデジタルスチルカメラにおいて、外部機器は、他社製のデジタルスチルカメラ若しくはパーソナルコンピュータであることとしたので、他社製のデジタルスチルカメラやパーソナルコンピュータで作成された記憶媒体のディレクトリ中のファイルを再生することが可能となる。
【００２３】
また、請求項７に係るデジタルスチルカメラは、請求項１〜６のいずれか１つに係るデジタルスチルカメラにおいて、前記記憶媒体は、ＤＯＳフォーマットがなされ、前記検索手段は、当該記憶媒体のＤＯＳ管理領域をチェックして、前記外部機器で作成されたディレクトリが存在するか否かを検索する構成である。
【００２４】
請求項７に係るデジタルスチルカメラによれば、請求項１〜６のいずれか１つに係るデジタルスチルカメラにおいて、記憶媒体には、ＤＯＳフォーマットがなされており、検索手段は、記憶媒体のＤＯＳ管理領域をチェックして、外部機器で作成されたディレクトリが存在するか否かを検索することとしたので、外部機器で作成されたディレクトリの存在を容易に検索することが可能となる。
【００２５】
また、請求項８に係るデジタルスチルカメラは、請求項１〜７のいずれか１つに係るデジタルスチルカメラにおいて、前記報知手段は、前記検索手段の検索結果を表示部に表示する構成とした。
【００２６】
請求項８に係るデジタルスチルカメラによれば、請求項１〜７のいずれか１つに係るデジタルスチルカメラにおいて、検索手段の検索結果を表示部に表示する構成としたので、操作者は検索結果を視認することが可能となる。
【００２７】
【発明の実施の形態】
【００２８】
以下に添付図面を参照して、この発明に係る好適な実施の形態を詳細に説明する。
【００２９】
図１はこの発明に係るデジタルスチルカメラの一実施の形態を示すブロック図である。
【００３０】
図１に示すデジタルスチルカメラは、レンズ１、オートフォーカスを含むメカ機構２、ＣＣＤ３、ＣＤＳ回路４、Ａ／Ｄ変換器５、デジタル信号処理回路６、圧縮／伸張回路７、ＤＲＡＭ８、メモリカード９、ＬＣＤ１０、ドライバ１１、ＳＧ１２、ＣＰＵ１３、操作部１４、ストロボ１５、マイク１６、ＡＭＰ／ＦＩＬＴＥＲ１７、Ｄ／Ａ変換器１８、音声データ圧縮／伸張回路１９、Ａ／Ｄ変換器２０、ＡＭＰ／ＦＩＬＴＥＲ２１、及びＯＳＤ２２等により構成されている。
【００３１】
レンズユニットは、レンズ１、オートフォーカス（ＡＦ）・絞り・フィルター部を含むメカ機構２等からなり、メカ構２のメカニカルシャッターは２つのフィールドの同時露光を行う。ＣＣＤ（電荷結合素子）３は、レンズユニットを介して入力した映像を電気信号（アナログ画像データ）に変換する。ＣＤＳ（相関２重サンプリング）回路４は、ＣＣＤ型撮像素子に対する低雑音化のための回路である。また、Ａ／Ｄ変換器５は、ＣＤＳ回路４を介してＣＣＤ３から入力したアナログ画像データをデジタル画像データに変換する。すなわち、ＣＣＤ３の出力信号は、ＣＤＳ回路４を通じてＡ／Ｄ変換器５で最適なサンプリング周波数（例えば、ＮＴＳＣ信号のサブキャリア周波数の整数倍）にてデジタル信号に変換される。
【００３２】
また、デジタル信号処理部６は、Ａ／Ｄ変換器５から入力した画像データを色差データと輝度データに分けて各種処理、補正、及び画像圧縮／伸張のためのデータ処理を施す。
【００３３】
画像圧縮／伸張回路７は、例えば、ＪＰＥＧ準拠の画像圧縮／伸張の一過程である直交変換・逆直交変換、並びに、ＪＰＥＧ準拠の画像圧縮・伸張の一過程であるハフマン符号化・ハフマン複合化等を行う。
【００３４】
一方、音声は、マイク１６等の音声−電気信号変換素子により電気信号に変換されて音声データとなり、ＡＭＰ／ＦＩＬＴＥＲ１７により増幅され必要帯域にカットオフされた後、Ｄ／Ａ変換器１８により所定帯域の２倍以上のサンプリング周波数でデジタル音声データに変換される。更に、このデジタル音声データはデータ圧縮・伸張部１９により圧縮・符号化処理される。
【００３５】
ＤＲＡＭ８は、圧縮処理された画像データを一時的に格納する。メモリカード９には、圧縮された画像データは画像データファイルとして、圧縮された音声データは音声データファイルとしてメモリカード９に記録される。
【００３６】
また、ＬＣＤ１０には、メモリカード９に記録されている画像データに応じた画像が表示される。また、ＬＣＤ１０には、設定されているデジタルスチルカメラの状態、例えば、設定されているモード表示やエラー表示等が行われる。操作部１４は、機能選択、撮影指示、及びその他の各種設定を外部から行うためのボタンを備えている。
【００３７】
ＣＰＵ１３は、操作部１４からの指示、若しくは図示しないリモコン等の外部動作指示に応じて、図示しないＲＯＭに格納された制御プログラムに従って、デジタルスチルカメラの各部の動作を制御する。例えば、ＣＰＵ１３は、メモリカード９への画像データや音声データの記録動作の制御、メモリカード９に記録されている画像データファイルや音声データファイルの再生動作の制御、及び、図７に示すディレクトリ検索処理の制御等を行う。すなわち、ＣＰＵ１３は、記録制御手段、再生制御手段、ディレクトリ検索手段、及び報知手段等の機能を担っている。
【００３８】
次に、デジタルスチルカメラの画像データの記録動作を説明する。先ず、レンズ１を被写体像は、ＣＣＤ３で電気信号（アナログ画像データ）に変換された後、ＣＤＳ４を経て、Ａ／Ｄ変換器５に入力されアナログ画像データがデジタル画像データに変換される。変換されたデジタル画像データは、デジタル信号処理回路６で信号処理されて、ＣＰＵバスを介してＤＲＡＭ８に格納される。ＤＲＡＭ８に格納されたデジタル画像データは、ＣＰＵバスを介して圧縮／伸張回路７に入力され、圧縮処理されて、再び、ＤＲＡＭ８に格納される。圧縮処理が終了すると、ＣＰＵ１３は、ＤＲＡＭ８に格納されている圧縮処理された画像データを、ＣＰＵバスを介してメモリカード９に所定形態で画像データファイルとして記録する。
【００３９】
次に、デジタルスチルカメラの再生動作を説明する。操作部１４の操作により再生すべきメモリカード９の画像データファイルが指定されると、指定された画像データファイルの圧縮処理された画像データが読み出されて、ＤＲＡＭ８に格納される。このＤＲＡＭ８に格納された画像データは、ＣＰＵバスを介して圧縮／伸張回路７に入力され、伸張処理されて、再び、ＤＲＡＭ８に格納される。ＤＲＡＭ８に格納された伸張処理された画像データは、ＣＰＵバスを介してデジタル信号処理回路６に入力され、ビデオ信号に変換されてＬＣＤ１０に表示される。
【００４０】
図２は、メモリカード９のフォーマットの一例を示す図である。このフォーマットは、ＪＥＩＤＡＩＣメモリカードガイドラインＶｅｒ４．１（ＰＣＭＣＩＡＲ２．０）に規定されたものである。パソコン用のＤＯＳのフォーマットと同一のものとなっている。
【００４１】
メモリカード９は、図２に示す如く、アトリビュートメモリ９１と、コモンメモリ９２とを備えている。アトリビュートメモリ９１には、デバイス種類、アクセス速度、記憶容量等のカード属性情報が格納されている。コモンメモリ９２は、属性情報領域９３を備えており、この属性情報領域９３は、データ領域９４から構成されており、このデータ領域９４は、メモリ管理領域９５とデータファイル領域とから構成されている。
【００４２】
メモリ管理領域９５は、ＤＯＳ情報が格納されており、ブートセクタ領域９６と、ＦＡＴ領域９７と、ディレクトリ領域９８から構成されている。
【００４３】
ブートセクタ領域９６には、メモリカード９からデータを読み書きする場合に必要なパラメータ、すなわち、ＦＡＴ（file  allocation  table ）の数、ディレクトリエントリの数等が記録される。
【００４４】
ＦＡＴ領域９７には、各ファイルのデータが記録されている状態の情報であるＦＡＴエントリが書き込まれる。尚、データが記録されているメモリ上の位置は、データの書き込み単位の番号となるクラスタ番号で示されている。
【００４５】
図３は、ディレクトリエントリ領域９８に格納されるデータの構成の一例を示す図である。
【００４６】
ディレクトリエントリ領域９８には、図３に示す如く、記録したデータのファイル名、ファイル属性、予約領域、作成／更新時刻、作成更新日付、対応するファイルまたはサブディレクトリエントリの物理的位置（ＦＡＴ開始番号）と該ファイルのサイズについての情報がそれぞれ記録されている。上記ファイル名としては、対応するものがデータファイルであるときには、ファイルの属性情報の１つである拡張子を含むファイル名、また、対応するものがサブディレクトリ名であるときには、ディレクトリ名が記録される。尚、デイレクトリにサブディレクトリが作成された場合には、そのサブディレクトリのディレクトリエントリも書き込まれる。
【００４７】
データファイル領域９９には、画像データファイル１００、音声データファイル１０１や、リレーショナルファイル１０２が格納される。画像データファイルは、ヘッダー（ファイル属性等が記録される）と画像データ（例えば、ＪＰＥＧデータ）からなり、音声データファイルには、ヘッダー（ファイル属性等が記録される）と音声データ（例えば、ＡＤＰＣＭデータ）からなる。リレーショナルファイル１０２は、個々の記録順番や組み合わせ情報を格納するファイルであり、ヘッダー（ファイル属性等が記録される）とデータ（ファイル相互関連情報）からなる。
【００４８】
図４は、メモリカード９のディレクトリ構造の一例を示す図である。この図は、ディレクトリエントリ領域９８のディレクトリ構造を階層表示したものである。
【００４９】
図４に示す如く、自社カメラで作成したサブディレクトリ（ＩＭＲＤＣＸ０１）と他社カメラ（他社製のデジタルスチルカメラ）若しくはパソコンで作成したサブディレクトリ（ＡＢＣＤＥＦＧＨ）が形成されている。自社カメラで作成したサブディレクトリ（ＩＭＲＤＣＸ０１）の下層には、ＲＩＭ００００１．ＪＰＧ、ＲＩＭ００００４．ＪＰＧ、ＲＩＭ００００１．ＪＰＧ、ＲＩＭ００００４．ＪＰＧ、・・・のファイルが作成されている。また、他社カメラ若しくはパソコンで作成したサブディレクトリ（ＡＢＣＤＥＦＧＨ）の下層には、ＸＸＸ００００１．ＪＰＧ、ＸＸＸ００００４．ＪＰＧ、ＸＸＸ００００１．ＪＰＧ、ＸＸＸ００００４．ＪＰＧ、・・・のファイルが作成されている。
【００５０】
図５は、メモリカード９のディレクトリ構造の他の例を示す図である。この図は、ディレクトリエントリ領域９８のディレクトリ構造を階層表示したものである。
【００５１】
図５に示す如く、自社カメラで作成したサブディレクトリ（ＩＭＲＤＣＸ０１）のみが形成されている。自社カメラで作成したサブディレクトリ（ＩＭＲＤＣＸ０１）の下層には、ＲＩＭ００００１．ＪＰＧ、ＲＩＭ００００４．ＪＰＧ、ＲＩＭ００００１．ＪＰＧ、ＲＩＭ００００４．ＪＰＧ、・・・のファイルが作成されている。
【００５２】
次に、上記構成のデジタルスチルカメラの本発明に係る動作例を図６〜図８に示すフローチャートを参照して説明する。
【００５３】
図６は、デジタルスチルカメラの本発明に係る動作例を示すフローチャートである。
図７は、ディレクトリ検索処理を示すフローチャートである。
図８は、再生処理を示すフローチャートである。
【００５４】
図６において、先ず、当該デジタルスチルカメラの電源スイッチがオンとなり、電源が供給されると（ステップＳ１）、ステップＳ２で、ＣＰＵ１３は、メモリカード９がデジタルスチルカメラに挿入されているか否かを判断する。この判断の結果、デジタルスチルカメラにメモリカード９が挿入されていない場合には、ＣＰＵ１３は、ＬＣＤ１０に、メモリカード９が挿入されていない旨を表示して、操作者に報知する。
【００５５】
メモリカード９が挿入されている場合は、処理はステップＳ３に移行し、メモリカード９のアトリビュートメモリ９０に格納されている属性情報（カード属性情報）を読み出す。この結果、カードが使用可能である場合には、ステップＳ４で、ＣＰＵ１３は、ディレクトリの検索処理を実行する。
【００５６】
このディレクトリ検索処理の詳細な処理内容を図７に示すフローチャートを参照して説明する。本処理において、「他社機」とは、外部装置のことを示しており、例えば、他社製のデジタルスチルカメラやパーソナルコンピュータ等を示す。
【００５７】
先ず、ＣＰＵ１３は、メモリカード９のコモンメモリ９２のメモリ管理領域９５のＤＯＳ情報を読み出す（ステップＳ１０）。この場合、ＣＰＵ１３は、ディレクトリエントリ領域９８も読み出して、ディレクトリエントリ領域を検索して、他社機で作成したディレクトリが存在するか否かを判断する（ステップＳ１１）。この判断の結果、他社機で作成したディレクトリが存在する場合には、ＣＰＵ１３は、例えば、図９に示す如く、ＯＳＤ表示などを使い、ＬＣＤ１０に他社ディレクトリが存在する旨を表示して（ステップＳ１２）、他社ディレクトリが存在することを操作者に報知して当該ディレクトリ検索処理を終了する。尚、他社ディレクトリが存在することを操作者に報知するためには、表示に限らず、音声で報知することにしても良い。
【００５８】
さて、図６のステップＳ５では、再生処理がおこなわれる。この再生処理の詳細な処理内容を図８のフローチャートを参照して説明する。
【００５９】
尚、ディジタルスチルカメラ（ＣＰＵ１３）は、再生モードとして、自社機で作成したディレクトリ中のファイルのみを再生するモード１と、他社機若しくは自社機で作成したディレクトリ中のファイルも再生するモード２とを備えている。また、以下で説明する「ファイル」とは、画像データファイル若しくは音声データファイルのことである。
【００６０】
図８において、先ず、ＣＰＵ１３は、再生モードの選択画面をＬＣＤ１０に表示する（ステップＳ２０）。ここで、他社機で作成されたディレクトリが存在する場合には、例えば、図１０に示す如き再生モードの選択メニューが表示される。図１０では、モード１（自社機で作成したディレクトリ中のファイルのみを再生するモード）と、モード２（他社機で作成したディレクトリ中のファイルも再生するモード）の選択を促す選択メニューが表示されている。
【００６１】
そして、操作者による操作部１４の入力操作により、再生モードの選択が行われる（ステップＳ２１）。ＣＰＵ１３は、モード１とモード２の何れが選択されたかを判断して（ステップＳ２２）、モード１が選択された場合には、再生モードとして自社ディレクトリの中のファイルだけを再生するモード１を設定する（ステップＳ２３）。他方、モード２が選択された場合には、他社ディレクトリの中のファイルも再生するモード２を設定する（ステップＳ２４）。そして、ＣＰＵ１３は、操作者による操作部１４の操作により再生すべきメモリカード９のファイルが指定されると（ステップＳ２５）、指定されたメモリカード９のファイルを再生する（ステップＳ２６）。尚、ＣＰＵ１３は、モード１が設定されている場合に、他社ディレクトリ中のファイルが指定された場合には、再生できない旨をＬＣＤ１０に表示する。また、再生モードの選択をＬＣＤ１０に表示した選択メニューの中から選択して切り替える構成としたが、操作部１４にモード１とモード２を切り替えるＳＷを設け、このＳＷを選択してモードを切り替える構成としても良い。
【００６２】
さて、ステップＳ２７では、ＣＰＵ１３は、操作者による操作部１４の入力操作により再生モードの終了が指示された場合には、当該再生処理を終了し、再生モードの終了が指示されていない場合にはステップＳ２５に戻る。
【００６３】
図１１は、自社ディレクトリ中の画像データファイルの表示例を示しており、図１１に示す如く、ＬＣＤ１０には、画像データと、画面右上にファイル名”ＲＩＭ０００００２”が表示されている。
【００６４】
図１２は、他社ディレクトリ中の画像データファイルの表示例を示しており、図１２に示す如く、ＯＳＤ２２表示画面には、画像データと、画面右上にファイル名”ＸＸＸ０００００２”と、画面右下にディレクトリ名”ＡＢＣＤＥＦＧ”が表示されている。
【００６５】
以上説明したように、本実施の形態では、ＣＰＵ１３が、デジタルスチルカメラの電源投入時に、メモリカード９に、外部機器（他社機：例えば他社製のデジタルスチルカメラやパソコン等）で作成したディレクトリが存在するか否かを検索し、外部機器で作成されたディレクトリがある場合には、その旨をＬＣＤ１０に表示して操作者に報知し、また、ＣＰＵ１３は、再生モードとして、メモリカード９の自社機若しくは外部機器で作成されたディレクトリ中のファイルを再生するモードを備えた構成である。
【００６６】
従って、メモリカード９に外部機器で作成したディレクトリが存在するか否かを検索して、その検索結果を操作者に報知することができると共に、メモリカード９の作成されたディレクトリ中のファイルを再生することができ、操作者は、外部装置で作成されたディレクトリの存在を知ることができると共に、メモリカード９に如何なるファイルが記録されているかを知ることができる。その結果、メモリカード９をフォーマットする場合に、本当にフォーマットして良いかを容易に判断することが可能となる。
【００６７】
【発明の効果】
以上説明したように、請求項１の発明によれば、再生制御手段は、記憶媒体の自社機若しくは外部機器で作成されたディレクトリ中の画像データファイルを再生するモードを備えているので、記憶媒体の外部機器で作成されたディレクトリ中の画像データファイルを再生することができ、操作者は、記憶媒体に如何なる画像データファイルが記録されているかを知ることができる。その結果、記憶媒体をフォーマットする場合に、本当にフォーマットして良いかを容易に判断することが可能なデジタルスチルカメラを提供することが可能となる。
【００６８】
請求項２に係るデジタルスチルカメラによれば、検索手段が、デジタルスチルカメラの電源投入時に、記憶媒体に、前記外部機器で作成したディレクトリが存在するか否かを検索し、再生制御手段は、記憶媒体の自社機若しくは外部機器で作成されたディレクトリ中の画像データファイルを再生するモードを備えているので、記憶媒体に外部機器で作成したディレクトリが存在するか否かを検索して、記憶媒体の外部機器で作成されたディレクトリ中の画像データファイルを再生することができ、操作者は、記憶媒体に如何なる画像データファイルが記録されているかを知ることができる。その結果、記憶媒体をフォーマットする場合に、本当にフォーマットして良いかを容易に判断することが可能となる。
【００６９】
請求項３に係るデジタルスチルカメラによれば、検索手段が、記憶媒体に、前記外部機器で作成したディレクトリが存在するか否かを検索し、報知手段は、検索手段の検索結果を報知し、再生制御手段は、記憶媒体の自社機若しくは外部機器で作成されたディレクトリ中の画像データファイルを再生するモードを備えているので、記憶媒体に外部機器で作成したディレクトリが存在するか否かを検索して、その検索結果を操作者に報知することができると共に、記憶媒体の外部機器で作成されたディレクトリ中の画像データファイルを再生することができ、操作者は、外部装置で作成されたディレクトリの存在を知ることができると共に、記憶媒体に如何なる画像データファイルが記録されているかを知ることができる。その結果、記憶媒体をフォーマットする場合に、本当にフォーマットして良いかを容易に判断することが可能となる。
【００７０】
請求項４に係るデジタルスチルカメラによれば、再生制御手段は、記憶媒体の自社機若しくは外部機器で作成されたディレクトリ中の画像データファイル若しくは音声データファイルを再生するモードを備えているので、記憶媒体の外部機器で作成されたディレクトリ中の画像データファイル若しくは音声データファイルを再生することができ、操作者は、記憶媒体に如何なる画像データファイル若しくは音声データファイルが記録されているかを知ることができる。その結果、記憶媒体をフォーマットする場合に、本当にフォーマットして良いかを容易に判断することが可能となる。
【００７１】
請求項５に係るデジタルスチルカメラによれば、請求項１〜４のいずれか１つに係るデジタルスチルカメラにおいて、切替手段は、第１モードと前記第２モードとを切り替えることとしたので、記憶媒体の自社機で作成したディレクトリ中のファイルを再生するモードと、記憶媒体の自社機若しくは外部機器で作成されたディレクトリ中のファイルを再生するモードとを操作者が容易に切り替えることが可能となるという効果を奏する。
【００７２】
請求項６に係るデジタルスチルカメラによれば、請求項１〜５のいずれか１つに係るデジタルスチルカメラにおいて、外部機器は、他社製のデジタルスチルカメラ若しくはパーソナルコンピュータであることとしたので、他社製のデジタルスチルカメラやパーソナルコンピュータで作成された記憶媒体のディレクトリ中のファイルを再生することが可能となる。
【００７３】
請求項７に係るデジタルスチルカメラによれば、請求項１〜６のいずれか１つに係るデジタルスチルカメラにおいて、記憶媒体には、ＤＯＳフォーマットがなされており、検索手段は、記憶媒体のＤＯＳ管理領域をチェックして、外部機器で作成されたディレクトリが存在するか否かを検索することとしたので、外部機器で作成されたディレクトリの存在を容易に検索することが可能となる。
【００７４】
請求項８に係るデジタルスチルカメラによれば、請求項１〜７のいずれか１つに係るデジタルスチルカメラにおいて、検索手段の検索結果を表示部に表示する構成としたので、操作者は検索結果を視認することが可能となる。
【図面の簡単な説明】
【図１】この発明に係るデジタルスチルカメラの一実施の形態を示すブロック図である。
【図２】メモリカードのフォーマットの一例を示す図である。
【図３】メモリカードのディレクトリエントリ領域に格納されるデータの構成の一例を示す図である。
【図４】メモリカードのディレクトリ構造の一例を示す図である
【図５】メモリカードのディレクトリ構造の他の例を示す図である。
【図６】デジタルスチルカメラの本発明に係る動作例を示すフローチャートである。
【図７】ディレクトリ検索処理を示すフローチャートである。
【図８】再生処理を示すフローチャートである。
【図９】ディレクトリ検索結果の表示例を示す図である。
【図１０】再生モードの選択画面の表示例を示す図である。
【図１１】自社ディレクトリ中の画像データファイルの表示例を示す図である。
【図１２】他社ディレクトリ中の画像データファイルの表示例を示す図である。
【符号の説明】
１    レンズ
２    メカ機構
３    ＣＣＤ
４    ＣＤＳ回路
５    Ａ／Ｄ変換器
６    デジタル信号処理回路
７    圧縮／伸張回路
８    ＤＲＡＭ
９    メモリカード
１０  ＬＣＤ
１１  ドライバ
１２  ＳＧ
１３  ＣＰＵ
１４  操作部
１５  ストロボ
１６  マイク
１７  ＡＭＰ／ＦＩＬＴＥＲ
１８  Ｄ／Ａ変換器
１９  音声データ圧縮／伸張回路
２０  Ａ／Ｄ変換器
２１  ＡＭＰ／ＦＩＬＴＥＲ
２２  ＯＳＤ
【図１】
0003658144.tif 000002
【図２】
0003658144.tif 000003
【図３】
0003658144.tif 000004
【図４】
0003658144.tif 000005
【図５】
0003658144.tif 000006
【図６】
0003658144.tif 000007
【図７】
0003658144.tif 000008
【図８】
0003658144.tif 000009
【図９】
0003658144.tif 000010
【図１０】
0003658144.tif 000011
【図１１】
0003658144.tif 000012
【図１２】
0003658144.tif 000013